(57)【要約】      （修正有）【課題】パーティー会場等で、各参加者が適宜、撮影された写真を共有したり選択したりすることを廉価に実現する撮影画像提供システムを提供する。【解決手段】会合が開かれる場所に設置された１以上の静止画及び／または動画の撮影手段を用いて、会合の運営者の操作及び／または参加者の操作及び／または予め定められた条件によって撮影された画像データを通信回線を経由して受け取るサーバーと、前記サーバーに対しなされたアクセスに対し予め定められた条件に応じて画像データを送信するサーバーとを含み、前記サーバーは前記アクセスの際及び／または画像データに対して広告を提示及び／または付与する撮影画像提供システム。【選択図】なし【特許請求の範囲】
【請求項１】
会合が開かれる場所に設置された１以上の静止画及び／または動画の撮影手段を用いて、会合の運営者の操作及び／または参加者の操作及び／または予め定められた条件によって撮影された画像データを通信回線を経由して受け取るサーバーと、前記サーバーに対しなされたアクセスに対し予め定められた条件に応じて画像データを送信するサーバーとを含み、前記サーバーは前記アクセスの際及び／または画像データに対して広告を提示及び／または付与する撮影画像提供システム。
【請求項２】
前記サーバーが、前記アクセスの許可されたものの操作により写真データの加工、タグ付け、リンク付け、コメント記録を行い、それに応じたデータを提示する請求項１に記載の撮影画像提供システム。
【請求項３】
前記撮影手段が、会場内モニターに接続されており、これにより撮影画像の全部または一部を表示する請求項１または２に記載の撮影画像提供システム。
【請求項４】
ストロボ、モニター及び固定手段を備えた撮影手段である、請求項１〜３のいずれかに記載の撮影画像提供システムに用いる撮影装置。
【発明の詳細な説明】
【技術分野】
【０００１】
本発明は、パーティー会場等で撮影した画像をインターネット等のネットワークを介してサーバーに送信し加工や共有等を行う撮影画像提供システムに関する。
【背景技術】
【０００２】
今日、店舗や街角に写真撮影機が設置されている。このような従来の写真撮影機は通常、装置筐体やカーテン等で仕切られた撮影領域内に被写体人物が入り、撮影された写真画像を、ディスプレイに表示される操作手順に従って画像選択を行い、希望する写真画像のプリントを行う装置である。しかし、このような装置は、例えば、パーティー会場等のある程度の広がりを持った場所で、瞬間的な場面を撮影するのには適さない。
【０００３】
パーティー参加者が各自の携帯電話やデジタルカメラ等を用いて、撮影を行うことはもちろん可能であるが、カメラマン等の専門家が撮影するわけではないため、適切に瞬間を捉えることは困難であり、また、このようなシステムでは、撮影されたショットを即座に全員で見たり、共有したり選択したり加工するのが困難である。
【発明の概要】
【発明が解決しようとする課題】
【０００４】
本発明は従来の課題を考慮してその解決を図るものであり、具体的には、パーティー会場等で、各参加者が適宜、
撮影された写真を共有したり選択したりすることが可能であり、さらに、それを廉価に実現することを課題とする。
【課題を解決するための手段】
【０００５】
本発明者らは上記課題の解決策を検討し、下記の構成により、課題が解決されることを見出した。すなわち、本発明は以下の装置及びこれを用いたシステムを提供する。
［１］会合が開かれる場所に設置された１以上の静止画及び／または動画の撮影手段を用いて、会合の運営者の操作及び／または参加者の操作及び／または予め定められた条件によって撮影された画像データを通信回線を経由して受け取るサーバーと、前記サーバーに対しなされたアクセスに対し予め定められた条件に応じて画像データを送信するサーバーとを含み、前記サーバーは前記アクセスの際及び／または画像データに対して広告を提示及び／または付与する撮影画像提供システム。
［２］前記サーバーが、前記アクセスの許可されたものの操作により写真データの加工、タグ付け、リンク付け、コメント記録を行い、それに応じたデータを提示する前記１に記載の撮影画像提供システム。
［３］前記撮影手段が、会場内モニターに接続されており、これにより撮影画像の全部または一部を表示する前記１または２に記載の撮影画像提供システム。
［４］ストロボ、モニター及び固定手段を備えた撮影手段である、前記１〜３のいずれかに記載の撮影画像提供システムに用いる撮影装置。
【発明の効果】
【０００６】
本発明は企業イベント、パーティーなどにおいて、ゲスト自身などがシャッターを押し、即座にモニターで確認できる自動写真機を用い、撮影データをインターネット上で個人用途、企業の広告宣伝ツールとしての写真をデータ加工、モバイルツールへの送信、企業イメージやイベント、パーティーの価値の広いシェアを可能にするものである。
【０００７】
このシステムの利用者は企業が提供するサービスに登録したり、企業のＨＰを経由することでその写真をダウンロードできたり、楽しく撮影した写真が広告宣伝ツールにもなり、当日以降も自発的にその価値は拡散していく。そしてそれは、このシステムを利用する個人はもちろんのこと、企業イメージや価値が拡散していく双方の需要を満たすという特徴がある。
【０００８】
また、上記システムに用いる自動写真機は既存のもののように移動不可なものではなく、分解、移動が容易にできる新しいカメラ、ストロボ、モニターを含むもので、設置する場所や環境によって、スタンド型、三脚型、柱型、円柱型、円錐型、壁掛け型など、そこに合った形状の自動写真機を使い分けるものが好ましい。
【発明を実施するための形態】
【０００９】
本発明によれば、会合が開かれる場所に設置された１以上の静止画及び／または動画の撮影手段を用いて、会合の運営者の操作及び／または参加者の操作及び／または予め定められた条件によって撮影された画像データを通信回線を経由して受け取るサーバーと、前記サーバーに対しなされたアクセスに対し予め定められた条件に応じて画像データを送信するサーバーとを含み、前記サーバーは前記アクセスの際及び／または画像データに対して広告を提示及び／または付与することを特徴とする撮影画像提供システムが提供される。
【００１０】
ここで、会合とは、イベント、パーティー、会議、展示会など、複数の人間が集まる機会のすべてを含む。会合が開かれる場所（以下、会場という）は常設のものでも仮設のものでもよく、一般的なイベント会場、ホテルや飲食店などのパーティー会場、会議場、冠婚葬祭などの式場、展示会場などを含むが、屋外でもよい。静止画及び／または動画の撮影手段については後述するが、基本的には、静止画及び／または動画を撮影できる装置である。特にデジタルスチルカメラ、デジタルビデオカメラ（以下、両者を含めて単に「カメラ」という）が含まれる。
【００１１】
撮影は、会合の運営者の操作及び／または参加者の操作及び／または予め定められた条件によって行われる。参加者の操作によって撮影が行われる場合、例えば、カメラに対応するリモコンスイッチを一または複数の参加者が保持するか会場内に設置しておき、その操作により撮影がなされる。予め定められた条件としては、時刻、会場内での音響の大きさ、特定波形（例えば、拍手）の音、光度変化などが挙げられる。撮影された画像は、会場や会合に応じた符号を付されて後述のサーバーに送られ、会場や会合単位に記録される。
【００１２】
撮影は当然ながらカメラの前方の所定の範囲内においてなされるが、このようなカメラは会場内に複数設置してもよい。
【００１３】
好ましくは、前記撮影手段はモニターに接続されており、これにより撮影画像（ここで、画像とは静止画及び動画の両方を含む。以下、同じ）の全部または一部をリアルタイムまたは操作や条件に従って表示する。また、モニターは撮影時以外は所定の画像や映像やテキスト等を表示し、撮影時には当該画像または映像を表示することが好ましい。このために、モニターはパソコン等を介して撮影手段と接続されることが好ましい。また、撮影手段にセンサーを設け、これによって人物の接近を感知する構成としてもよい。
【００１４】
本発明のシステムは、前記画像データを通信回線を経由して受け取るサーバーと、前記サーバーに対しなされたアクセスに対し予め定められた条件に応じて画像データを送信するサーバーを有する。サーバーは、例えばデータセンターなどに構築され、データベースに上記撮影された画像を保存する。もっとも、サーバーは一のコンピューターによるものだけでなく複数のコンピューターからなるものであってもよいしクラウド化されていてもよい。
【００１５】
撮影者や会合参加者によって前記サーバーに対しなされたアクセスに対し予め定められた条件は、アクセス権者の識別と設定条件による条件を含む。アクセス権者は、例えば、画像の撮影者や会合参加者である。その識別は、一般的なＩＤ−パスワードの一致を見るものでもよいし、特定のＵＲＬなどからのアクセスに対して許可するものでもよい。これらは、例えば、撮影時や会合参加時に手交されたり、メールなどによって通知される。アクセス権者は、サーバーアクセス時、所定の条件を満たすと、自らの撮った画像や他の会合参加者の撮った画像を見ることができる。ここで「見る」とは閲覧やダウンロードを含む。前記設定条件は閲覧、転送、ダウンロードなどの態様に応じて変化し得るものでもよい。
【００１６】
本発明によれば、前記サーバーは前記アクセスの際及び／または画像データに対して広告を提示及び／または付与する。ここで、提示するとは、広告そのものを静止画及び／または動画自体またはそれに関連して見せることであり、付与するとは、広告そのものを静止画及び／または動画に広告やリンクを付加することである。もっとも、結果的に広告を提示及び／または付与できればよく、明示的に広告と認識されるものでなくてもよい。例えば、撮影者や会合参加者は企業のホームページにアクセスし、そこで、企業イメージを認識した上で、前記サーバーにリダイレクトされるものでもよい。
【００１７】
本発明においては、広告は様々な主体が行うことが可能であり、その形態も広い自由度を有することが特徴のひとつである。
例えば、会合が企業イベントの場合、参加者がサーバーにアクセスすると、アクセスページまたはリダイレクトされたページなどにおいて、当該企業イベントにおいて撮影された静止画及び／または動画で閲覧できるが、この場合、その全部または一部に当該企業の広告が提示及び／または付与されるのがひとつの例である。
【００１８】
もっとも、本発明でいう広告はこのような形態に限られない。
第一に、本発明でいう広告主体はイベント開催者に限られない。
例えば、多業者参加の展示会など、参加者が自らの広告を行いたいイベントでは、広告は参加者についてのものでもよい。また、結婚式のような私的なイベントであっても、一般企業がスポンサードして広告を提示及び／または付与できる。これにより、従来、広告の市場になっていなかったシーンも企業の広告宣伝ツールに取り込むことが可能であり、広告の市場を大きく広げることができる。
【００１９】
第二に、本発明でいう広告は直接的な企業広告に限られない。例えば、結婚式のような私的なイベントで、広告が前面に出るのが好ましくない場合、プロバイダーがサーバーなどを提供すること自体が企業広告として成立し得る。
【００２０】
本発明のシステムでは、撮影データは基本的に最終的にはサーバーに記録されるため、サーバー側で様々なサービスを付与することができる。
【００２１】
ひとつの例としては写真の加工が挙げられる。このような写真の加工は、従来、既知のすべてを含み、例えば、トリミングや組み合わせ、種々の効果の付与、色調の変更、モノクロ化、３Ｄ化、階層化などが挙げられる。
【００２２】
そのほかのサービスの例としては撮影画像の人物やアイテムの少なくとも一部にタグやリンク、コメントを付与することが挙げられる。
【００２３】
ここで「タグ」とは、対象とする写真に関連して記述される付加情報を指し、その形式・内容は問わない。例えば、前述の結婚式のようなイベントでは、参加者が、撮影データにアクセスし、その中に写っている自分の写真に対し、氏名や愛称、企業名、連絡先などをタグ付けすることが可能である。タグの公開・非公開はタグ付けする者が選択できる。これにより、多数の参加者が出席しているイベントでも、誰についての写真なのか容易に識別できるし、個人情報の保護の点でも公開の選択を本人の責任に委ねることができる。さらに被写体個人と写真との対応が明確な場合は、被写体個人の選択により写真の公開やデータの転載やダウンロードを制限するなど、タグがデータのアクセスコントロール機能を有してもよい。
【００２４】
例えば、特定の写真を選択した状態で入力することにより、特定のタグ（例えば、被撮影者）に関連した写真だけを取り出したり、特定の写真を表示した際にその写真にタグ付けされている人物の情報を表示したり、デジタルデータの写真上にオンマウスすることでそのマウスが位置する人物に関する情報を画面上に表示できる。また、タグは前述の写真の加工に際して自動的に付与されるものでもよい。
【００２５】
このようなタグ情報は人物に限らずアイテム（物品）であってもよい。例えば、結婚式において一般企業がスポンサードする場合、会場内に当該企業または関連製品を配置し、それに対し、上記のようなタグ付けをしてもよい。例えば、結婚式において製菓業者がウェディングケーキにタグ付けして、ケーキの説明などを行うことが可能である。あるいは、スポンサー企業（例えば、旅行業者）が例えば、花束などにタグ付けして、前述の広告機能を果たしてもよい。
【００２６】
タグに加え、リンク、コメントなどを設けることも可能である。なお、写真やその一部領域に対するタグ付け、リンク付け、コメント付与自体は既知の手法によって行い得る。
【００２７】
このように参加者がイベントの写真データに積極的に関わることにより、言わばイベント単位のＳＮＳを創出することが可能となり、撮影データをインターネット上で個人用途や企業の広告宣伝ツールとして利用するのみならず、イベント、パーティーの価値や企業イメージの広いシェアが実現される。
【００２８】
このような加工などがなされた写真はサーバー上に言わば「アルバム」として「保持」され得るが、その全部または一部を携帯電話やスマートフォン、タブレットなどのモバイルツールや他のサイトに送信したり、ＰＣなどにダウンロードし得る。このような転送やダウンロードの際に広告が提示及び／または付与されてもよい。なお、前述のように、このような転送やダウンロードが、被写体個人の選択により制限されてもよい。また、加工された写真については
【００２９】
なお、上記の説明から理解されるように、サーバーは、写真の加工や、タグ付け、リンク付け、コメント記録を補助するユーザーインターフェースを提供することが好ましい。このユーザーインターフェースは、複数の写真をひとつの集合体として扱い得ることが好ましい。
【００３０】
本発明の撮影手段は、好ましくは、ストロボ、モニター及び固定手段を備えた撮影装置である。固定手段は、設置する場所や環境に応じて撮影装置を固定するものであり、撮影装置はスタンド型、三脚型、柱型、円柱型、円錐型、壁掛け型など、会場や会合内容に合った種々の形状を取ることができる。
【００３１】
なお、撮影自体は常時または一定間隔で行い、上記の操作が行われた瞬間またはその前後のデータを記録するものでもよい。